(57)【要約】【課題】シール部のシール性が不完全な状態にある時でも、シール部からの液漏れを抑制することができるロータリジョイントの提供。【解決手段】ロータ軸２の供給穴２ａとフローティングシート３の供給穴３ａ両開口端部に形成された両大径部２ｂ、３ｂ内には両大径部２ｂ、３ｂ間に跨がって内側スリーブ５が収容配置され、この内側スリーブ５が、フローティングシート３の大径部３ｂ内に圧入固定され、ロータ軸２の大径部２ｂとは非接触状態でかつ近接状に配置される。【選択図】      図２
2005249007.tif 000002
【特許請求の範囲】
【請求項１】
軸心にそれぞれ流路が備えられた固定軸と回転軸との対向端面にはそれぞれシールリングが装着され、前記固定軸側流路に供給される液圧によって前記固定軸を回転軸方向に摺動させて前記両シールリングの環状シール面を互いに密着させることによりシール部が形成されるように構成されたロータリジョイントであって、
前記シール部近傍には該シール部から外部に液が漏れ出すことを抑制する液漏れ抑制手段が備えられていることを特徴とするロータリジョイント。
【請求項２】
請求項１に記載のロータリジョイントにおいて、前記液漏れ抑制手段が、前記固定軸と回転軸の両流路内で該両流路間に跨がって収容配置された内側スリーブで構成され、
該内側スリーブは前記固定軸と回転軸の少なくともいずれか一方の流路の内周面とは非接触状態で配置されていることを特徴とするロータリジョイント。
【請求項３】
請求項２に記載のロータリジョイントにおいて、前記内側スリーブは前記固定軸と回転軸のいずれか一方の流路側に固定され、もう一方の流路の内周面とは非接触状態で配置されていることを特徴とするロータリジョイント。
【請求項４】
請求項３に記載のロータリジョイントにおいて、前記内側スリーブは前記固定軸の流路側に固定され、前記回転軸の流路の内周面とは非接触状態で配置されていることを特徴とするロータリジョイント。
【請求項５】
請求項１に記載のロータリジョイントにおいて、前記液漏れ抑制手段が、前記固定軸と回転軸の両端部外周で、両端部外周面を跨ぐ状態に配置された外側スリーブで構成され、
該外側スリーブは前記固定軸と回転軸の少なくともいずれか一方の外面とは非接触状態で配置されていることを特徴とするロータリジョイント。
【請求項６】
請求項５に記載のロータリジョイントにおいて、前記外側スリーブは前記固定軸と回転軸のいずれか一方の軸に固定され、もう一方の軸の外周面とは非接触状態で配置されていることを特徴とするロータリジョイント。
【請求項７】
請求項６に記載のロータリジョイントにおいて、前記外側スリーブは前記固定軸側に固定され、前記回転軸の外周面とは非接触状態で配置されていることを特徴とするロータリジョイント。
【請求項８】
請求項１に記載のロータリジョイントにおいて、前記液漏れ抑制手段が、前記固定軸と回転軸の両端部外周面を跨ぐ状態で外周を包囲する環状空間内に向けて該環状空間の両端開口部側からそれぞれエアパージすることにより、前記シール部から外部に液が漏れ出すことを抑制するように構成されていることを特徴とするロータリジョイント。
【請求項９】
請求項８に記載のロータリジョイントにおいて、前記環状空間内には、前記エアパージにより環状空間内に封じ込められた漏れ液を外部に排出する排出路が設けられていることを特徴とするロータリジョイント。
【請求項１０】
請求項１に記載のロータリジョイントにおいて、前記液漏れ抑制手段が、前記固定軸を軸方向摺動自在に支持する支持穴と該支持穴内に挿入された固定軸部分に軸方向に対向する状態で異径段部がそれぞれ形成され、該両異径段部相互間に形成される環状隙間内に前記固定軸の流路に供給される液の供給系統とは別系統の流体を供給することにより、該流体圧により前記固定軸を摺動させて前記両シールリングの環状シール面を互いに当接させるように構成されていることを特徴とするロータリジョイント。
【請求項１１】
請求項１に記載のロータリジョイントにおいて、前記液漏れ抑制手段が、前記固定軸を回転軸方向に摺動させて両シールリングの環状シール面を互いに当接させる方向に常時押圧付勢するばねで構成されていることを特徴とするロータリジョイント。
【請求項１２】
請求項１〜１１のいずれか１項に記載のロータリジョイントにおいて、前記回転軸が工作機械の回転軸に接続されていることを特徴とするロータリジョイント。
【発明の詳細な説明】
【技術分野】
【０００１】
本発明は、各種機械に装着してクーラントなどの液体を回転軸側に供給するのに適したロータリジョイントに関し、特に、固定軸と回転軸との間をつなぐシール部からの液漏れを抑制するための改良技術に関する。
【背景技術】
【０００２】
従来、工作機械の主軸先端に取付けた回転工具等へ切削用のクーラント液を供給するような場合、主軸後端部、あるいは直結主軸モータのロータ軸後端部にロータリジョイントを直結し、夫々の軸心に設けた流路を介してこのロータリジョイントからクーラント液を圧送している。
この種のロータリジョイントは高速回転が要求されるため、固定軸側流路と回転軸側流路との間にはそれぞれシールリングが装着され、工作機械駆動時には供給するクーラントの供給液圧によって固定軸（フローティングシート）側のシールリングを回転軸（主軸モータのロータ軸）側のシールリング方向に摺動させ、両シールリングの環状シール面を互いに密着させることによりシール部が構成されるようになっている。
【０００３】
通常、前記シール部の固定側のシールリングと回転軸側のシールリングとの環状シール面は全面平滑に仕上げられ、内部の流路を流れるクーラント液が漏れないように互いに完全に密着するようになっている。
【０００４】
そして、回転工具等の付け替え時等においてクーラント液の供給を停止すると、コイルスプリングの付勢力で固定軸（フローティングシート）側を押し戻して両シールリングを互いに離間させることにより、潤滑液（クーラント）の供給がない状態における両環状シール面の摩耗を防止するようになっている（例えば、特許文献１参照。）
【０００５】
【特許文献１】特開平９−１５２０７７号  （明細書１頁、図２）
【発明の開示】
【発明が解決しようとする課題】
【０００６】
しかしながら、従来例（特許文献１）のロータリジョイントにおいては、工作機械駆動時には供給するクーラントの液圧によって固定軸側のシールリングをコイルスプリングの付勢力に抗して回転軸側のシールリング方向に押圧摺動させ、両シールリングの環状シール面を互いに密着させることによりシール部が構成されるようになっているため、クーラント液の供給が開始されてから両環状シール面が完全に密着してシール部を構成するまでにタイムラグがある。このため、その間にシール部からクーラントが外部に漏れ出し、この漏れ量が多いと、他の部位まで侵入して重大なトラブルを発生させる虞があるという問題がある。
【０００７】
本発明は、上述のような従来の問題点を解決するためになされたもので、その目的とするところは、シール部のシール性が不完全な状態にある時でも、シール部からの液漏れを抑制することができるロータリジョイントを提供することにある。
【課題を解決するための手段】
【０００８】
上記課題を解決するために、本発明請求項１記載のロータリジョイントは、軸心にそれぞれ流路が備えられた固定軸と回転軸との対向端面にはそれぞれシールリングが装着され、前記固定軸側流路に供給される液圧によって前記固定軸を回転軸方向に摺動させて前記両シールリングの環状シール面を互いに密着させることによりシール部が形成されるように構成されたロータリジョイントであって、前記シール部近傍には該シール部から外部に液が漏れ出すことを抑制する液漏れ抑制手段が備えられていることを特徴とする手段とした。
【０００９】
請求項２記載のロータリジョイントは、請求項１に記載のロータリジョイントにおいて、前記液漏れ抑制手段が、前記固定軸と回転軸の両流路内で該両流路間に跨がって収容配置された内側スリーブで構成され、該内側スリーブは前記固定軸と回転軸の少なくともいずれか一方の流路の内周面とは非接触状態で配置されていることを特徴とする手段とした。
【００１０】
請求項３記載のロータリジョイントは、請求項２に記載のロータリジョイントにおいて、前記内側スリーブは前記固定軸と回転軸のいずれか一方の流路側に固定され、もう一方の流路の内周面とは非接触状態で配置されていることを特徴とする手段とした。
【００１１】
請求項４記載のロータリジョイントは、請求項３に記載のロータリジョイントにおいて、前記内側スリーブは前記固定軸の流路側に固定され、前記回転軸の流路の内周面とは非接触状態で配置されていることを特徴とする手段とした。
【００１２】
請求項５記載のロータリジョイントは、請求項１に記載のロータリジョイントにおいて、前記液漏れ抑制手段が、前記固定軸と回転軸の両端部外周で、両端部外周面を跨ぐ状態に配置された外側スリーブで構成され、該外側スリーブは前記固定軸と回転軸の少なくともいずれか一方の外面とは非接触状態で配置されていることを特徴とする手段とした。
【００１３】
請求項６記載のロータリジョイントは、請求項５に記載のロータリジョイントにおいて、前記外側スリーブは前記固定軸と回転軸のいずれか一方の軸に固定され、もう一方の軸の外周面とは非接触状態で配置されていることを特徴とする手段とした。
【００１４】
請求項７記載のロータリジョイントは、請求項６に記載のロータリジョイントにおいて、前記外側スリーブは前記固定軸側に固定され、前記回転軸の外周面とは非接触状態で配置されていることを特徴とする手段とした。
【００１５】
請求項８記載のロータリジョイントは、請求項１に記載のロータリジョイントにおいて、前記液漏れ抑制手段が、前記固定軸と回転軸の両端部外周面を跨ぐ状態で外周を包囲する環状空間内に向けて該環状空間の両端開口部側からそれぞれエアパージすることにより、前記シール部から外部に液が漏れ出すことを抑制するように構成されていることを特徴とする手段とした。
【００１６】
請求項９記載のロータリジョイントは、請求項８に記載のロータリジョイントにおいて、前記環状空間内には、前記エアパージにより環状空間内に封じ込められた漏れ液を外部に排出する排出路が設けられていることを特徴とする手段とした。
【００１７】
請求項１０記載のロータリジョイントは、請求項１に記載のロータリジョイントにおいて、前記液漏れ抑制手段が、前記固定軸を軸方向摺動自在に支持する支持穴と該支持穴内に挿入された固定軸部分に軸方向に対向する状態で異径段部がそれぞれ形成され、該両異径段部相互間に形成される環状隙間内に前記固定軸の流路に供給される液の供給系統とは別系統の流体を供給することにより、該流体圧により前記固定軸を摺動させて前記両シールリングの環状シール面を互いに密着させるように構成されていることを特徴とする手段とした。
【００１８】
請求項１１記載のロータリジョイントは、請求項１に記載のロータリジョイントにおいて、前記液漏れ抑制手段が、前記固定軸を回転軸方向に摺動させて両シールリングの環状シール面を互いに当接させる方向に常時押圧付勢するばねで構成されていることを特徴とする手段とした。
【００１９】
請求項１２記載のロータリジョイントは、請求項１〜１１のいずれか１項に記載のロータリジョイントにおいて、前記回転軸が工作機械の回転軸に接続されていることを特徴とする手段とした。
【発明の効果】
【００２０】
請求項１記載のロータリジョイントでは、上述のように、前記シール部近傍にシール部から外部に液が漏れ出すことを抑制する液漏れ抑制手段が備えられることで、シール部のシール性が不完全な状態にある時でも、シール部からの液漏れを抑制することができるようになるという効果が得られる。
【００２１】
請求項２記載のロータリジョイントでは、上述のように、前記液漏れ抑制手段が、固定軸と回転軸の両流路内で該両流路間に跨がって収容配置された内側スリーブで構成されることで、固定軸と回転軸の両流路内からシール部に向かう流路が、該両流路内周面と内側スリーブ外周面との間の環状隙間で絞られた状態となるため、これが流通抵抗となって、シール部からの液漏れを効果的に抑制することができるようになる。
また、内側スリーブが固定軸と回転軸の少なくともいずれか一方の流路の内周面とは非接触状態で配置されることにより、相対回転による摩耗を防止することができる。
【００２２】
請求項３記載のロータリジョイントは、上述のように、内側スリーブが固定軸と回転軸のいずれか一方の流路側に固定され、もう一方の流路の内周面とは非接触状態で配置されることにより、内側スリーブが固定された側の流路側からシール部に向かう流路がなくなるため、シール部からの液漏れ防止効果を高めることができるようになる。
【００２３】
請求項４記載のロータリジョイントでは、上述のように、前記内側スリーブが供給液の上流側である固定軸の流路側に固定され、下流側である回転軸の流路の内周面とは非接触状態で配置された構成とすることにより、特に液の供給開始時におけるシール部からの液漏れ防止効果を高めることができるようになる。
【００２４】
請求項５記載のロータリジョイントでは、前記液漏れ抑制手段が、固定軸と回転軸の両端部外周で、両端部外周面を跨ぐ状態に配置された外側スリーブで構成されることにより、シール部から漏れ出した液が外部に流れ出す流路が、両軸の両端部外周面と外側スリーブ内周面との間の環状隙間で絞られた状態となるため、これが流通抵抗となって、シール部からの液漏れを効果的に抑制することができるようになる。
また、外側スリーブが固定軸と回転軸の少なくともいずれか一方の流路の内周面とは非接触状態で配置されることにより、相対回転による摩耗を防止することができる。
【００２５】
請求項６記載のロータリジョイントは、上述のように、前記外側スリーブが固定軸と回転軸のいずれか一方の軸に固定され、もう一方の軸の外周面とは非接触状態で配置されることにより、外側スリーブが固定された側の軸の外周面と外側スリーブとの間には外部と連通する流路がなくなるため、シール部からの液漏れ防止効果を高めることができるようになる。
【００２６】
請求項７記載のロータリジョイントでは、上述のように、前記外側スリーブが固定軸側に固定され、回転軸の外周面とは非接触状態で配置された構成としたため、外側スリーブが高速回転することで外側スリーブと非接触状態の軸の外周面との間に漏れ出した液を強制的に外部に排出させる遠心力を作用させることがなく、従って、シール部からの液漏れ防止効果を発揮させることができるようになる。
【００２７】
請求項８記載のロータリジョイントでは、上述のように、前記液漏れ抑制手段が、固定軸と回転軸の両端部外周面を跨ぐ状態で外周を包囲する環状空間内に向けて該環状空間の両端開口部側からそれぞれエアパージするようにしたことで、環状空間内の気圧が上昇し、これにより、シール部から外部に液が漏れ出すことを抑制することができるようになる。
【００２８】
請求項９記載のロータリジョイントでは、上述のように、前記環状空間内には、エアパージにより環状空間内に封じ込められた漏れ液を外部に排出する排出路が設けられることで、シール部からの漏れ量が多い場合でも、回転軸外周側への漏れ液の流出を防止することができるようになる。
【００２９】
請求項１０記載のロータリジョイントでは、液漏れ抑制手段が上述のように構成されるため、固定軸の流路に液が供給される直前に、環状隙間内にエア等の流体を供給することにより、固定軸を摺動させて両シールリングの環状シール面を互いに密着させた状態にすることができるため、その後に固定軸の流路に供給された液がシール部から漏れ出すことを防止することができるようになる。
なお、固定軸の流路に液が供給されると同時に環状隙間内にエア等の流体を供給した場合でも、固定軸を摺動させて両シールリングの環状シール面が互いに密着するまでの時間を短縮することができるため、シール部から液が漏れ出すことを抑制することができるようになる。
【００３０】
請求項１１記載のロータリジョイントでは、上述のように、前記液漏れ抑制手段が、固定軸を回転軸方向に摺動させて両シールリングの環状シール面を互いに当接させる方向に常時押圧付勢するばねで構成されることで、固定軸の流路に対する液の供給が停止された状態において、両流路内に溜まった液がシール部から漏れ出すことを防止することができるようになる。
【００３１】
請求項１２記載のロータリジョイントでは、上述のように、前記回転軸が工作機械の回転軸に接続されているものにおいては、シール部からの液漏れを抑制することにより、重要部品である軸受けや主軸モータ等が被害を被ることを防止することができるようになる。
【発明を実施するための最良の形態】
【００３２】
以下、本発明の実施例を図面により説明する。
<実施例１>
本発明実施例１ではロータリジョイントＲＪが横型の主軸に装着された場合で説明する。もちろん、この形態は横型のみに限定するわけではなく、縦型の主軸に装着することも可能である。
【００３３】
図１は本発明実施例１のロータリジョイントＲＪを示す縦断面図であり、図において、１は図示を省略した主軸モータのケーシング、２は図示を省略した主軸モータのロータ軸（回転軸）、３はフローティングシート（固定軸）、４はシール部を示す。
【００３４】
さらに詳述すると、このロータリジョイントＲＪのケーシング１は、その一端側（左側）に図示を省略した主軸モータが内装されていて、そのケーシング１の他端側（右側）には主軸モータのロータ軸２が回転自在に挿通支持される軸心穴１１が形成されると共に、該軸心穴１１の端部には該軸心穴１１より大径の円形穴１２が形成されている。
【００３５】
前記円形穴１２の開口部は、ケーシング１の開口端面に対しボルト１３で着脱可能に装着される蓋体１４で閉じられており、この蓋体１４の軸心部には前記フローティングシート３の軸部３１を軸方向摺動可能に支持する支持穴１５が形成され、この支持穴１５はクーラント液等の供給部と連結させる連結穴１６に連通された状態となっている。なお、円形穴１２の底部には、シール５から円形穴内に漏れ出したクーラントをケーシング１外部に排出するためのドレン口１ｂが形成されている。
【００３６】
前記フローティングシート３は、後述する固定軸側流路と回転軸側流路とをシール部４を介して連通させるもので、その軸部３１が前記支持穴１５内に軸方向摺動可能に挿入支持され、支持穴１５内周面に備えたＯリング１５ａ、１５ｂにより、該支持穴１５内周面と軸部３１の外周面との間がシールされた状態となっている。
【００３７】
そして、前記支持穴１５と該支持穴１５内に挿入された軸部３１の部分にはそれぞれ下流側が大径になる状態で軸方向に対向する異径段部１５ｃ、３１ａが形成され、この異径段部１５ｃ、３１ａ相互間に形成される環状隙間ａ内に、連結穴１６に供給される液の供給系統とは別系統であるエアをエア供給口１ａから供給することにより、該エア圧によりフローティングシート３を摺動させて両シールリング４１、４２の環状シール面を互いに当接させることができるようになっている。即ち、以上の構成で液漏れ抑制手段を構成している。
【００３８】
前記ロータ軸２の端面に固定されたシールリング４１（シール部４）とフローティングシート３の端面に固定されたシールリング４２（シール部４）とが円形穴１２の軸方向略中央部において対面する状態となっている。
そして、前記ロータ軸２とフローティングシート３の軸心部には、連結穴１６から供給されるクーラント液等を工作機械等に供給するための流路を形成する供給穴（回転軸側流路）２ａ、供給穴（固定軸側流路）３ａがそれぞれ形成されている。
【００３９】
また、前記フローティングシート３のシールリング４２側端部外周に形成されたフランジ部３２と蓋体１４との間には、両シールリング４１、４２の両環状シール面を互いに当接させる方向にフローティングシート３を押圧付勢するコイルスプリング（ばね）（液漏れ抑制手段）４３が介装されている。そして、連結穴１６からクーラント液が供給されると、該クーラント液の供給液圧をフローティングシート３における軸部３１の環状端面で受けることで、フローティングシート３を押圧摺動させ、シールリング４２をシールリング４１に密着させることにより、互いに連通した供給穴２ａ、３ａを経由してクーラント液等が工作機械等へ供給されるようになっている。なお、前記コイルスプリング４３は、両シールリング４１、４２相互間に隙間ができない程度の弱い付勢力に設定されている。
【００４０】
また、前記フランジ部３２に取付固定されたピン３３を蓋体１４に形成された摺動係止穴１７に対し軸方向摺動自在に挿入係止させることにより、フローティングシート３の回り止めが行われるようになっている。
【００４１】
また、前記ロータ軸２とフローティングシート３の軸心部に形成された両供給穴２ａ、３ａで両シールリング４１、４２が固定された両端開口部には大径部２ｂ、３ｂがそれぞれ形成され、この両大径部２ｂ、３ｂ内には両大径部２ｂ、３ｂ間に跨がって内側スリーブ（液漏れ抑制手段）５が収容配置されている。この内側スリーブ５は、両大径部２ｂ、３ｂの内周面に対し非接触状態で配置されている。
【００４２】
次に本発明実施例１の作用および効果を説明する。
この実施例１のロータリジョイントＲＪでは、上述のように構成されるため、ロータ軸２の回転が停止している状態では、コイルスプリング４３の付勢力によって、両シールリング４１、４２相互間に隙間ができない程度の弱い力で両環状シール面が当接した状態に維持されるようになっている。
従って、連結穴１６に対するクーラント液の供給が停止された時でも、両供給穴２ａ、３ａ内に溜まっていたクーラント液がシール部から漏れ出すことが防止される。
【００４３】
次に、工作機械を作動させる時には、まず、エア供給口１ａから環状隙間ａ内にエアを供給することにより、フローティングシート３が図面左方向に押圧摺動され、この押圧力により、両シールリング４１、４２の両環状シール面が密着し、これにより、連結穴１６から供給されるクーラント液がシール部４から漏れ出すことを防止することができる。
【００４４】
なお、仮に、前記コイルスプリング４３を備えておらず、このため、クーラント液の供給が停止された時に、両シールリング４１、４２の両環状シール面相互間が互いに離間するような場合においても、環状隙間ａ内にエアを供給することにより、両供給穴２ａ、３ａ内に溜まっていたクーラント液がシール部から漏れ出すことを防止することができる。
【００４５】
また、クーラント液の供給と同時にエアの供給を開始しても、フローティングシート３を摺動させて両シールリング４１、４２の環状シール面が互いに密着するまでの時間がエア力により短縮されるため、シール部４からクーラント液が漏れ出すことを抑制することができるようになる。
【００４６】
さらに、両供給穴２ａ、３ａの両大径部２ｂ、３ｂ内には両大径部２ｂ、３ｂ間に跨がって内側スリーブ５が収容配置されているため、両供給穴２ａ、３ａからシール部４に向かう流路が、両大径部２ｂ、３ｂの内周面と内側スリーブ５の外周面との間の環状隙間で絞られた状態となるため、これが流通抵抗となって、シール部４からの液漏れを効果的に抑制することができるようになる。
また、この内側スリーブ５は、両大径部２ｂ、３ｂの内周面に対し非接触状態で配置されているため、相対回転による摩耗を防止することができる。
【００４７】
以上詳細に説明してきたように、前記シール部４近傍に該シール部４から外部に液が漏れ出すことを抑制する複数の液漏れ抑制手段が備えられることで、シール部４からの液漏れを抑制することができるようになるという効果が得られる。  また、以上のように、シール部４からの液漏れを抑制することにより、重要部品である軸受けや主軸モータ等が被害を被ることを防止することができるようになる。
【００４８】
次に、本発明の他の実施例を説明する。なお、この他の実施例については、前記実施例１と同様の構成部分の図示および説明は省略し、もしくは同一の符号を付してその説明を省略し、相違点についてのみ説明する。
<実施例２>
この実施例２のロータリジョイントＲＪは、図２の要部拡大断面図に示すように、前記内側スリーブ５が、フローティングシート３の大径部３ｂ内に圧入固定され、ロータ軸２の大径部２ｂとは非接触状態でかつ近接状に配置されている点が、前記実施例１とは相違したものである。
【００４９】
従って、この実施例２では、内側スリーブ５が固定された側の供給穴３ａからシール部４に向かう環状流路がなくなるため、シール部４からの液漏れ防止効果を高めることができるようになるという追加の効果が得られる。
また、内側スリーブ５の固定側を、上流側であるフローティングシート３の供給穴３ａ側にすることにより、特にクーラントの供給開始時におけるシール部４からの液漏れ防止効果を高めることができるようになる。
【００５０】
<実施例３>
この実施例３のロータリジョイントＲＪは、図３の要部拡大断面図に示すように、液漏れ抑制手段が、ロータ軸２とフローティングシート３の両端部外周で、該両端部外周面を跨ぐ状態に配置された外側スリーブ６で構成され、この外側スリーブ６がフローティングシート３の外周面側に固定される一方、ロータ軸２の外周面とは非接触状態でかつ近接状に配置された構成としたものである。
【００５１】
従って、この実施例３では、外側スリーブ６がフローティングシート３の外周面側に固定されることで、フローティングシート３の外周面と外側スリーブとの間には外部と連通する流路がなくなるため、シール部４からの液漏れ防止効果を高めることができるようになる。
また、シール部４から漏れ出した液が外部に流れ出す流路が、ロータ軸２の端部外周面と外側スリーブ６の内周面との間の環状隙間で絞られた状態となるため、これが流通抵抗となって、シール部４からの液漏れを効果的に抑制することができるようになる。
また、外側スリーブ６がロータ軸２の外周面とは非接触状態で配置されることにより、相対回転による摩耗を防止することができるようになる。
【００５２】
さらに、外側スリーブ６が固定軸であるフローティングシート３側に固定され、回転軸であるロータ軸２の外周面とは非接触状態で配置された構成とすることにより、外側スリーブ６は回転しないため、外側スリーブ６が高速回転することで外側スリーブ６と非接触状態の軸の外周面との間に漏れ出した液を強制的に外部に排出させる遠心力を作用させることがなく、従って、シール部４からの液漏れ防止効果を発揮させることができるようになる。
【００５３】
<実施例４>
この実施例４のロータリジョイントＲＪは、図４の縦断面図に示すように、液漏れ抑制手段が、前記ロータ軸２とフローティングシート３の両端部外周面を跨ぐ状態で外周を包囲する環状空間７１内に向けて該環状空間７１の両端開口部側からそれぞれエアパージすることにより、シール部４から外部に液が漏れ出すことを抑制するエアパージ手段７で構成されたものである。
【００５４】
このエアパージ手段７は、円形穴１２の底部において該円形穴１２とロータ軸２およびフローティングシート３の両端部外周面との間の隙間を閉塞する環状の隔壁状に形成されていて、円形穴１２の環状底部１２ａと蓋体１４との間に挟持された状態で位置決め配置されている。
【００５５】
また、このエアパージ手段７の内周面には２連の環状溝７２、７３が周設されており、それぞれエア流路７４、７５によりエアパージ手段７の上部外周面に形成された凹部７６を介してケーシング１の上部に開口したエア供給口１ｃに連通されている。
そして、図５にもその詳細を示すように、環状溝７２、７３においては、内側隙間Ｓａを外側隙間Ｓｂより大きくして環状空間に向けたエアパージ量を多くするように形成されることにより、環状空間７１に向けてエアパージが行われるようになっている。
【００５６】
従って、この実施例４のロータリジョイントＲＪでは、ロータ軸２とフローティングシート３の両端部外周面を跨ぐ状態で外周を包囲する環状空間７１内に向けて該環状空間７１の両端開口部側からそれぞれエアパージすることにより、環状空間７１内の気圧が上昇し、これにより、シール部４から外部に液が漏れ出すことを抑制することができるようになる。
【００５７】
<実施例５>
この実施例５のロータリジョイントＲＪは、図６の縦断面図に示すように、前記実施例４において、前記環状空間７１内に、エアパージにより環状空間７１内に封じ込められた漏れ液をケーシング１の底部に形成されたドレン口１ｄから外部に排出する排出路７７が設けられている点が、前記実施例４とは相違したものである。
従って、この実施例５のロータリジョイントＲＪにあっては、シール部４からの漏れ量が多い場合でも、シール部４から円形穴１２内への漏れ液の流出を防止することができるようになる。
【００５８】
以上、本発明の実施例を説明してきたが、本発明の具体的な構成はこの実施例に限定されるものではなく、本発明の要旨を逸脱しない範囲の設計変更等があっても本発明に含まれる。
例えば、実施例１では、複数の漏れ液抑制手段を組み込んだが、単独で組み込むようにしてもよい。また、実施例１〜４の漏れ液抑制手段を任意の組み合わせで組み込むようにしてもよい。
【００５９】
また、実施例２では、内側スリーブ５をフローティングシート３側に固定したが、ロータ軸２側に固定しても一定の効果を得ることができる。
【図面の簡単な説明】
【００６０】
【図１】実施例１のロータリジョイントを示す縦断面図である。
【図２】実施例２のロータリジョイントにおける漏れ液抑制手段部分を示す要部拡大断面図である。
【図３】実施例３のロータリジョイントにおける漏れ液抑制手段部分を示す要部拡大断面図である。
【図４】実施例４のロータリジョイントにおける漏れ液抑制手段部分を示す縦断面図である。
【図５】実施例４のロータリジョイントにおける漏れ液抑制手段部分を示す要部拡大断面図である。
【図６】実施例５のロータリジョイントにおける漏れ液抑制手段部分を示す縦断面図である。
【符号の説明】
【００６１】
ＲＪ  ロータリジョイント
ａ  環状隙間
Ｓａ  内側隙間
Ｓｂ  外側隙間
１  ケーシング
１ａ  エア供給口
１ｂ  ドレン口
１ｃ  エア供給口
１ｄ  ドレン口
２  主軸モータのロータ軸（回転軸）
２ａ  供給穴（回転軸側流路）
２ｂ  大径部
３  フローティングシート（固定軸）
３ａ  供給穴（固定軸側流路）
３ｂ  大径部（固定軸側流路）
４  シール部
５  内側スリーブ（漏れ液抑制手段）
６  外側スリーブ（漏れ液抑制手段）
７  エアパージ手段（漏れ液抑制手段）
１１  軸心穴
１２  円形穴
１２ａ  環状底部
１３  ボルト
１４  蓋体
１５  支持穴
１５ａ  Ｏリング
１５ｂ  Ｏリング
１５ｃ  異径段部
１６  連結穴
１７  摺動係止穴
３１  軸部
３１ａ  異径段部
３２  フランジ部
３３  ピン
４１  シールリング（シール部）
４２  シールリング（シール部）
４３  コイルスプリング（漏れ液抑制手段）
７１  環状空間
７２  環状溝
７３  環状溝
７４  エア流路
７５  エア流路
７６  凹部
７７  排出路
【図１】
2005249007.tif 000003
【図２】
2005249007.tif 000004
【図３】
2005249007.tif 000005
【図４】
2005249007.tif 000006
【図５】
2005249007.tif 000007
【図６】
2005249007.tif 000008